【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】
複数種類の識別情報を可変表示可能な可変表示装置を含み、該可変表示装置の表示結果が予め定められた特定表示態様となった場合に遊技者にとって有利な特定遊技状態になるようにした遊技機において、
普通図柄始動条件の成立に基づいて識別情報を変動表示する普通図柄表示装置と、前記可変表示装置における表示状態を遊技者にとって不利な外れ表示態様から前記特定表示態様に移行させるための表示制御を行う図柄移行制御手段とを備え、
前記図柄移行制御手段は、前記可変表示装置における表示状態がリーチ状態から前記外れ表示態様になったとき、前記外れ表示態様に係わる外れ図柄の表示箇所を一旦隠蔽した後、前記隠蔽を解除した際に当該箇所にラッキー図柄を出現させ、前記普通図柄表示装置における変動表示の結果として前記ラッキー図柄と同じ図柄又は同一とみなされる図柄が表示されたことを条件に、前記可変表示装置における表示態様を前記外れ表示態様から前記特定表示態様に移行させる
ことを特徴とする遊技機。
【請求項２】
複数種類の識別情報を可変表示可能な可変表示装置を含み、該可変表示装置の表示結果が予め定められた特定表示態様となった場合に遊技者にとって有利な特定遊技状態になるようにした遊技機において、
普通図柄始動条件の成立に基づいて識別情報を変動表示する普通図柄表示装置と、前記可変表示装置における表示状態を遊技者にとって不利な外れ表示態様から前記特定表示態様に移行させるための表示制御を行う図柄移行制御手段とを備え、
前記図柄移行制御手段は、前記可変表示装置における表示状態がリーチ状態から前記外れ表示態様になったとき、前記外れ表示態様に係わる外れ図柄の表示箇所を一旦隠蔽した後、前記隠蔽を解除した際に当該箇所にラッキー図柄を出現させ、前記普通図柄表示装置における変動表示の結果として前記ラッキー図柄と同じ図柄又は同一とみなされる図柄が表示されたことを条件に、前記外れ表示態様に係わる外れ図柄の表示箇所において識別情報を再変動表示させて前記可変表示装置における表示態様を前記特定表示態様に移行させる
ことを特徴とする遊技機。
【請求項３】
前記隠蔽が解除されて前記ラッキー図柄が出現した後に、前記普通図柄表示装置における変動表示の結果が表示される
ことを特徴とする請求項１または２に記載の遊技機。
【請求項４】
前記普通図柄表示装置における変動表示の結果が表示された後に、前記隠蔽が解除されて前記ラッキー図柄が出現する
ことを特徴とする請求項１または２に記載の遊技機。
【請求項５】
前記ラッキー図柄を他の識別情報と区別可能に表示する
ことを特徴とする請求項１〜４の何れかに記載の遊技機。
【請求項６】
前記図柄移行制御手段は、前記可変表示装置における表示状態がリーチ状態から前記外れ表示態様になったとき、前記普通図柄始動条件の成立と等価な権利を自動発生させる
ことを特徴とする請求項１〜５の何れかに記載の遊技機。
【請求項７】
前記図柄移行制御手段は、前記可変表示装置における表示状態がリーチ状態から遊技者にとって不利な外れ表示態様になった時点で前記普通図柄表示装置において変動表示が行われていることを条件に稼動する
ことを特徴とする請求項１〜６の何れかに記載の遊技機。
【手続補正２】
【補正対象書類名】明細書
【補正対象項目名】０００８
【補正方法】変更
【補正の内容】
【０００８】
【課題を解決するための手段】
かかる目的を達成するための本発明の要旨とするところは、次の各項の発明に存する。
［１］複数種類の識別情報を可変表示可能な可変表示装置（３１０）を含み、該可変表示装置（３１０）の表示結果が予め定められた特定表示態様となった場合に遊技者にとって有利な特定遊技状態になるようにした遊技機において、
普通図柄始動条件の成立に基づいて識別情報を変動表示する普通図柄表示装置（１４０）と、前記可変表示装置（３１０）における表示状態を遊技者にとって不利な外れ表示態様から前記特定表示態様に移行させるための表示制御を行う図柄移行制御手段（１００、３００）とを備え、
前記図柄移行制御手段（１００、３００）は、前記可変表示装置（３１０）における表示状態がリーチ状態から前記外れ表示態様になったとき、前記外れ表示態様に係わる外れ図柄の表示箇所を一旦隠蔽した後、前記隠蔽を解除した際に当該箇所にラッキー図柄を出現させ、前記普通図柄表示装置（１４０）における変動表示の結果として前記ラッキー図柄と同じ図柄又は同一とみなされる図柄が表示されたことを条件に、前記可変表示装置（３１０）における表示態様を前記外れ表示態様から前記特定表示態様に移行させる
ことを特徴とする遊技機。
【手続補正３】
【補正対象書類名】明細書
【補正対象項目名】０００９
【補正方法】変更
【補正の内容】
【０００９】
［２］複数種類の識別情報を可変表示可能な可変表示装置（３１０）を含み、該可変表示装置（３１０）の表示結果が予め定められた特定表示態様となった場合に遊技者にとって有利な特定遊技状態になるようにした遊技機において、
普通図柄始動条件の成立に基づいて識別情報を変動表示する普通図柄表示装置（１４０）と、前記可変表示装置（３１０）における表示状態を遊技者にとって不利な外れ表示態様から前記特定表示態様に移行させるための表示制御を行う図柄移行制御手段（１００、３００）とを備え、
前記図柄移行制御手段（１００、３００）は、前記可変表示装置（３１０）における表示状態がリーチ状態から前記外れ表示態様になったとき、前記外れ表示態様に係わる外れ図柄の表示箇所を一旦隠蔽した後、前記隠蔽を解除した際に当該箇所にラッキー図柄を出現させ、前記普通図柄表示装置（１４０）における変動表示の結果として前記ラッキー図柄と同じ図柄又は同一とみなされる図柄が表示されたことを条件に、前記外れ表示態様に係わる外れ図柄の表示箇所において識別情報を再変動表示させて前記可変表示装置（３１０）における表示態様を前記特定表示態様に移行させる
ことを特徴とする遊技機。
【手続補正４】
【補正対象書類名】明細書
【補正対象項目名】００１７
【補正方法】変更
【補正の内容】
【００１７】
図柄移行制御手段（１００、３００）は、可変表示装置（３１０）における表示状態がリーチ状態から遊技者にとって不利な外れ表示態様になったとき、外れ表示態様に係わる外れ図柄の表示箇所を一旦、隠蔽し、その後、隠蔽を解除し、その際、隠蔽の解除された箇所にラッキー図柄を出現させる。その後、普通図柄表示装置（１４０）で行われた変動表示の結果としてラッキー図柄と同じ図柄又は同一とみなされる図柄が表示されたことを条件に、可変表示装置（３１０）における表示態様を外れ表示態様から特定表示態様に移行させる。特定表示態様への移行は、可変表示装置（３１０）の全ての表示部で識別情報を再変動表示させて行うものであっても良いし、外れ図柄の表示箇所においてだけ識別情報を再変動表示させて行うものであっても良い。
【手続補正５】
【補正対象書類名】明細書
【補正対象項目名】００１８
【補正方法】変更
【補正の内容】
【００１８】
たとえば、「７７７」を特定表示態様とした場合に「７」のリーチ状態を経て「７２７」という外れ表示態様（外れ図柄は「２」）が出現すると、外れ図柄の表示箇所を一旦、不透明な隠蔽図柄で隠蔽し、隠蔽図柄による隠蔽を解除した際に、その箇所に「★」等のラッキー図柄を表示する。その後、普通図柄表示装置（１４０）にラッキー図柄と同じ「★」又はラッキー図柄と同じとみなされる図柄等の図柄が出現すると、可変表示装置（３１０）の外れ表示態様が特定表示態様に移行する。
【手続補正６】
【補正対象書類名】明細書
【補正対象項目名】０１３９
【補正方法】変更
【補正の内容】
【０１３９】
その後、普通図柄表示装置１４０に普通図柄が確定表示されると（ステップＳ１４０３）、その図柄がラッキー図柄（ラッキー番号）と同一の図柄又は同一とみなされる図柄か否かを判定する（ステップＳ１４０４）。普通図柄表示装置１４０にラッキー図柄と同一の図柄又は同一とみなされる図柄が確定表示された場合は（ステップＳ１４０４；Ｙ）、主基板（遊技制御手段）１００が再抽選して、大当りを抽選し、外れ表示態様に係る外れ図柄が再変動を開始する。そして、外れ図柄がリーチ図柄と同一の図柄になり、可変表示装置３１０の表示結果が特定表示態様になり（ステップＳ１４０５）、図柄移行制御モードによる処理を終了する（エンド）。
【手続補正７】
【補正対象書類名】明細書
【補正対象項目名】０１４３
【補正方法】変更
【補正の内容】
【０１４３】
図１５（ｄ）は、図柄移行制御モードに移行し、外れ図柄の表示されていた箇所が隠蔽された状態を示している。図１５（ｅ）は、その後、隠蔽が解除され、その背後からラッキー図柄である「★」の図柄が出現した状態を示している。ここでは、ラッキー図柄である旨を遊技者に認識させるためにラッキー図柄を点滅表示している。図１５(ｆ)は、ラッキー図柄と同じ「★」の図柄又は同一とみなされる図柄が普通図柄表示装置１４０に確定表示された状態を示している。図１５（ｇ）は、普通図柄表示装置１４０にラッキー図柄と同一の図柄又は同一とみなされる図柄が出現したことに基づき、可変表示装置３１０の外れ図柄が表示されていた箇所において識別情報が再変動表示を開始した状態を示し、図１５（ｈ）は、再変動表示の結果、可変表示装置３１０に「７７７」の特定表示態様が出現した状態を示している。
【手続補正８】
【補正対象書類名】明細書
【補正対象項目名】０１４５
【補正方法】変更
【補正の内容】
【０１４５】
普通図柄表示装置１４０に確定表示されていた図柄がラッキー図柄と同一の図柄又は同一とみなされる図柄か否かを判定し、同一の場合は（ステップＳ１６０４；Ｙ）、主基板（遊技制御手段）１００が再抽選して、大当りを抽選し、外れ表示態様に係る外れ図柄が再変動を開始する。そして、外れ図柄がリーチ図柄と同一の図柄又は同一とみなされる図柄になり、可変表示装置３１０の表示結果が特定表示態様になり（ステップＳ１６０５）、図柄移行制御モードによる処理を終了する（エンド）。
【手続補正９】
【補正対象書類名】明細書
【補正対象項目名】０１５３
【補正方法】変更
【補正の内容】
【０１５３】
【発明の効果】
本発明に係る遊技機によれば、可変表示装置における表示状態がリーチ状態から外れ表示態様になったとき、外れ表示態様に係わる外れ図柄を一旦隠蔽し、その後、隠蔽を解除した際にその箇所にラッキー図柄を表示し、普通図柄表示装置にラッキー図柄と同一の図柄又は同一とみなされる図柄が表示されたことを条件に、可変表示装置における表示態様を外れ表示態様から特定表示態様に移行させるので、普通図柄表示装置における変動表示と可変表示装置における可変表示とが関連付けされ、表示上の面白みが増して遊技性を高めることができる。